(57)【特許請求の範囲】
【請求項１】
浴槽の短辺部の側に、この短辺部から洗い場にわたって出窓が形成された出窓付き浴室であって、上記の出窓の下部が、上記の洗い場の側にエプロンが形成されると共に、浴槽の側が外方に凹まれて凹段差部に形成され、カウンター面が出窓側の建物基礎の上方に配置して設けられているカウンターパネルで形成され、この出窓と対向する浴槽の一端側が、短辺部の全長にわたって内側に凹まれて腰掛け用のベンチ部に形成され、このベンチ部を上記のカウンターパネルの凹段差部に係合させた状態でベンチ部の上面が出窓側の建物基礎の上方に位置決めされて浴槽が設けられ、又このベンチ部と対向する浴槽の他端側の上端面が短辺部の全長にわたって幅広の平面状に形成され、入出浴時に尻を載せるための尻載せ面として機能する広さに形成されたことを特徴とする出窓付き浴室。
【請求項２】
請求項１記載の出窓付き浴室であって、浴槽の他端側の上端面で且つ洗い場側のコーナーの個所が、浴槽の内方側、或いは洗い場の側に傾斜され水切り自在に形成されたことを特徴とする出窓付き浴室。
【発明の詳細な説明】
【０００１】
【発明の属する技術分野】
本発明は、快適に入浴できるよう形成した浴室に関し、更に詳しくは出窓付き浴室に関するものである。
【０００２】
【従来の技術】
従来この種の浴室としては、例えば浴槽の短辺部の側に、この短辺部から洗い場にわたって出窓が形成されたものがある（例えば特開平８ー６６３２８号公報参照）。
【０００３】
又従来、浴室を構成する洗い場に関する提案としては、例えば実開昭６３ー４５８７９号公報に記載の考案のように、浴槽の上縁面の洗い場部に臨むコーナーに、入浴者が腰を掛けるために十分な広さの尻載せ面を形成したものがある。
【０００４】
【発明が解決しようとする課題】
ところで出窓付き浴室は、浴室スペースを出窓によって拡大し、より快適に入浴できるようにするものであるから、入浴に直接使用する浴槽自体も、できるだけ長く大きなものを設置できるよう、形成されているのが望ましい。
【０００５】
しかしながら例えば既存の浴室を、この種の出窓付き浴室に改修する場合、出窓側の建物基礎を壊し、その上で長い浴槽を設置するのでは、浴槽は大型化できても、改修工事に多大な手間暇と費用がかかる、という問題が発生する。
【０００６】
又洗い場に関する上記の従来技術のように、浴槽に尻載せ面を形成すると、高齢者や足腰が不自由な人はこの個所を利用して入出浴できるから、この従来品によれば高齢者等に親切で優しい、使い勝手の良い浴室を提供できる。
【０００７】
しかしながらこの従来品によると、浴槽の尻載せ面が洗い場側に突き出されているため、洗い場のスペースが狭くなるのを避けられなかった。又このような不利益を解消するため、尻載せ面を、洗い場にはみ出さないよう浴槽に形成すると、浴室自体の広さをあまり広くとることができない、という我が国の住宅事情から、洗い場スペースは確保できても、今度は逆に浴槽の入浴スペースを狭小化させる、という問題が発生した。
【０００８】
本発明は、このような従来の実情に鑑み、提案されたものである。
従って本発明の技術的課題は、出窓付き浴室において、出窓側の建物基礎を壊すことなく、この建物基礎を越えた長い大きな浴槽を設置できるようにし、又浴槽に尻を載せた姿勢での入出浴が、洗い場を狭小化させることなく、且つ浴槽の快適性を損なうことなく可能になるよう形成した、高齢者等に親切で優しい出窓付き浴室を提供することにある。
【０００９】
【課題を解決するための手段】
本発明は、上記の課題を解決するために、次のような技術的手段を採る。
【００１０】
即ち本発明は、図１に示されるように、浴槽１の短辺部１ａの側に、この短辺部１ａから洗い場３にわたって出窓２が形成された出窓付き浴室であって、上記の出窓２の下部が、上記の洗い場３の側にエプロン４ａが形成されると共に、浴槽１の側が外方に凹まれて凹段差部４ｂに形成され、カウンター面４ｃが出窓２側の建物基礎５の上方に配置して設けられているカウンターパネル４で形成され、この出窓２と対向する浴槽１の一端側が、短辺部１ａの全長にわたって内側に凹まれて腰掛け用のベンチ部１ｂに形成され、このベンチ部１ｂを上記のカウンターパネル４の凹段差部４ｂに係合させた状態でベンチ部１ｂの上面１ｃが出窓２側の建物基礎５の上方に位置決めされて浴槽１が設けられ、又このベンチ部１ｂと対向する浴槽１の他端側の上端面１ｄが短辺部１ｅの全長にわたって幅広の平面状に形成され、入出浴時に尻を載せるための尻載せ面として機能する広さに形成されたことを特徴とする（請求項１）。
【００１１】
本発明の場合は、上記の通り、浴槽１にベンチ部１ｂが形成され、このベンチ部１ｂの上面１ｃが、建物基礎５の上方に位置決めされて浴槽１が設けられている。従って本発明によれば、長い大きな浴槽の設置が可能となり、例えば床面積が、約０．７５坪の標準の浴室の場合、従来は長さが１６００（ｍｍ）の浴槽しか配置できなかったものを、本発明によれば、長さが１８５０（ｍｍ）の浴槽の設置が可能となる。
【００１２】
又ここで、入出浴時に尻を載せるための尻載せ面として機能する広さ、とは、具体的には寸法Ｄ（図２、図４参照）が、約１８０（ｍｍ）〜２５０（ｍｍ）程度に選定されることを意味する。但し、この寸法Ｄはこれに限られず、浴室自体の広さや、浴槽の内周フランジ部の湾曲状態等に応じて、適宜選定されるので良い。
【００１３】
又本発明は、図５に示されるように、浴槽１の他端側の上端面１ｄで且つ洗い場３側のコーナーの個所１ｆが、浴槽１の内方側、或いは洗い場３の側に傾斜され水切り自在に形成されるのが好ましい（請求項２）。
【００１４】
この場合は、尻載せ面としてのコーナーの個所１ｆに水滴が付着することを防止でき、より快適に入浴できる。図５、図６に示す実施形態は、尻載せ面としてのコーナーの個所１ｆが、浴槽１の内方に傾斜されている例である。
【００１５】
なお本発明は、上端面１ｄが、短辺部１ｅの全長にわたって幅広の平面状に形成されているから、図６に示されるように、コーナーの個所１ｆに隣接して例えばヘッドレスト１ｇを形成できたり、入出浴時に体重を支える際、手を付く面が広くなる、という利点がある。
【００１６】
【発明の実施の形態】
以下、本発明の浴室の好適な一実施形態を、添付図面に従って説明する。
【００１７】
図１等において、１は浴槽、１ａはこの浴槽１の短辺部である。２は、この短辺部１ａの側に、短辺部１ａから洗い場３としての床パンにわたって形成された出窓である。
【００１８】
又４は、出窓２を形成するためのカウンターパネルである。このカウンターパネル４は、洗い場３の側にエプロン４ａが形成されると共に、浴槽１の側が外方に凹まれて凹段差部４ｂ（図２、図３参照）に形成され、カウンター面４ｃを出窓２側の建物基礎５の上方に配置して設けられている。６は、建物基礎５の上面に配設された土台である。又７は、出窓２を形成する窓枠であり、８は壁材である。なおこの実施形態の場合、浴室の床面積は、０．７５坪に選定されている。
【００１９】
上記の浴槽１は、出窓２と対向する一端側が、短辺部１ａの全長にわたって内側に凹まれて腰掛け用のベンチ部１ｂに形成されている。浴槽１は、本発明ではカウンターパネル４の凹段差部４ｂに、ベンチ部１ｂを係合させた状態で、ベンチ部１ｂの上面１ｃが出窓２側の建物基礎５の上方に位置決めされて設けられている。
【００２０】
又浴槽１は、ベンチ部１ｂと対向する他端側の上端面１ｄが他端側の短辺部１ｅの全長にわたって幅広の平面状に形成され、入出浴時に尻を載せるための尻載せ面として機能する広さに形成されている。なお具体的には、寸法Ｄ（図２、図４参照）が、この実施形態では２１０（ｍｍ）に選定されている。
【００２１】
而して本発明の場合、入浴者９は、ベンチ部１ｂに腰掛けたり足を載せ、この個所を半身浴や足載せ台として使用する。又高齢者や足腰の不自由な人の場合は、図１に示されるように、尻載せ面としてのコーナーの個所１ｆに、一旦、腰を降ろし、この個所を利用して入出浴すると良い。
【００２２】
【発明の効果】
以上説明したように本発明は、出窓が上記のような構成に係るカウンターパネルで形成され、出窓と対向する浴槽の一端側が、短辺部の全長にわたって内側に凹まれて腰掛け用のベンチ部に形成され、このベンチ部を上記のカウンターパネルの凹段差部に係合させた状態でベンチ部の上面が出窓側の建物基礎の上方に位置決めされて浴槽が設けられたものである。
従って本発明浴室によれば、出窓側の建物基礎を壊すことなく、この建物基礎を越えた、長い大きな浴槽を設置できる。
【００２３】
又本発明は、ベンチ部と対向する浴槽の他端側の上端面が、短辺部の全長にわたって幅広の平面状に形成され、入出浴時に尻を載せるための尻載せ面として機能する広さに形成されている。
従って本発明の場合は、洗い場を狭くしたり、浴槽の入浴スペースを狭くすることなく、浴槽の上端面に尻を載せた姿勢での入出浴が可能になるから、これによれば高齢者や足腰の不自由な人に、親切で優しい使い勝手の良い浴室を提供できる。
【図面の簡単な説明】
【図１】本発明浴室の好適な一実施形態を示す要部斜視図である。
【図２】図１のＩＩーＩＩ線における一部を切欠した断面図である。
【図３】本発明の浴槽の組み付け状態を示す要部斜視図である。
【図４】本発明の要部平面図である。
【図５】本発明の他の実施形態を示す要部斜視図である。
【図６】本発明の他の実施形態を示す要部斜視図である。
【図７】図６のＶIIーＶII線における断面図である。
【図８】図６のVIII ー VIII線における断面図である。
【符号の説明】
１    浴槽
１ａ  短辺部
１ｂ  腰掛け用のベンチ部
１ｃ  上面
１ｄ  浴槽の他端側の上端面
１ｆ  コーナーの個所
２    出窓
３    洗い場
５    建物基礎
【図１】
0003617343.tif 000002
【図２】
0003617343.tif 000003
【図３】
0003617343.tif 000004
【図４】
0003617343.tif 000005
【図５】
0003617343.tif 000006
【図６】
0003617343.tif 000007
【図７】
0003617343.tif 000008
【図８】
0003617343.tif 000009